Podtech/llm-jp-corpus-v4-ja_patent huggingface dataset:
(57)【要約】　　　（修正有）【課題】浮き止めと錘を一体化し、浮き止めに錘機能を持たせることにより浮き止めと錘が絡んだり、また、ガン玉等の錘が釣り糸を錘ではさみこんで釣り糸をいためるという欠点をなくする。【解決手段】本考案以前は釣りで使用しているガン玉等の錘は錘として使用し、浮き止めは浮き止めとして使っていた。本考案は浮き止めと錘を一体化した。浮き止めに１Ｂ，２Ｂ，３Ｂ，４Ｂ，５Ｂ，６Ｂ，０．５号，０．８号，１号，１．５号，２号，３号，等の錘機能を持たせるため、浮き止めの棒の形状又は木、樹脂、鉄、アルミ、ステンレス、鉛等の材質の材料を使い、またそれらの材料を組み合わせることにより１Ｂ〜６Ｂ，０．５号〜３号，等の錘機能をもたせた浮き止めの棒を作り使うことにした。錘機能付浮き止め棒は浮き止めに錘機能を持たせたため、浮き止めと錘が絡み合うことなく、また浮き止め棒を抜くようにして錘が交換でき、錘を使い捨てせず再利用できる。【選択図】　　図１
0003097355.tif 000002
【実用新案登録請求の範囲】
【請求項１】
釣りで使用している噛み潰し、ガン玉、なつめオモリ、割びしは錘として使用し、浮き止めは浮き止めとして使っていた。浮き止め棒の形状又は材質を変え、又は材質の異なるものを組み合わせることにより浮きのサイズ１Ｂ，２Ｂ，３Ｂ，４Ｂ，５Ｂ，６Ｂ，０．５号，０．８号，１号，１．５号，２号，３号，等に対応した錘機能を持たせた浮き止め棒を作り、浮き止めを錘とどうように利用できるようにした錘機能付浮き止め。
【考案の詳細な説明】
【０００１】
【産業上の利用分野】
本考案は、魚釣り用仕掛けが浮きと浮き止めと錘で構成されていたものを浮き止めに使われている浮き止め棒の形状又は材質を変え、又は材質の異なるものを組み合わせることにより浮きのサイズ１Ｂ，２Ｂ，３Ｂ，４Ｂ，５Ｂ，６Ｂ，０．５号，０．８号，１号，１．５号，２号，３号，等に対応した錘機能を持たせ、浮き止めを外すように釣り糸に容易に着脱でき、また取付け位置を容易に変えられるようにした錘機能付浮き止めに関するものである。
【０００２】
【従来の技術】
従来、浮きのサイズ１Ｂ，２Ｂ，３Ｂ，４Ｂ，５Ｂ，６Ｂ，０．５号，０．８号，１号，１．５号，２号，３号，等に対応したガン玉等の錘と浮き止めは別々に存在し、それぞれの目的で使われていた。
【０００３】
【考案が解決しようとする課題】
従来の魚釣り用仕掛けは浮きの下に浮き止めと錘が別々について構成されており、そのうちの浮き止めと錘が絡んで困っていた。また、さらにガン玉等の錘は釣り糸を錘ではさみこんでいるため、釣り糸をいため、また錘が交換しにくいため使い捨てるというような欠点を持っていた。また浮きの負荷調整のため錘の数が増え、糸がらみの原因となっていた。従って、浮き止めと錘を一体化し、浮き止めに錘機能を持たせることにより前述の欠点を解決しようとするものである。
【０００４】
【課題を解決するための手段】
上記課題を解決して目的を達成するために、本考案は浮き止めと錘を一体化した。浮き止めと錘を一体化するため、また浮き止めの棒に１Ｂ，２Ｂ，３Ｂ，４Ｂ，５Ｂ，６Ｂ，０．５号，０．８号，１号，１．５号，２号，３号，等の錘機能をもたせるため木、樹脂、鉄、アルミ、ステンレス、鉛等の材質の材料を使い、またそれらの材料を組み合わせることにより１Ｂ，２Ｂ，３Ｂ，４Ｂ，５Ｂ，６Ｂ，０．５号，０．８号，１号，１．５号，２号，３号，等の錘機能をもたせる浮き止めの棒を作り使うことにした。
【０００５】
【作用】
本考案に係わる釣り具は、上記のような構成をしているため、魚釣り用仕掛けもシンプルになり、錘を浮き止めと同じように釣り糸に取り付けることができる。
【０００６】
【実施例】
次に、図面に示す実施例に基づき、本考案について説明する。
図１において、魚釣り用仕掛けに錘機能付浮き止めを取り付けた状態を示す。
【０００７】
【考案の効果】
本考案は、上記のように構成されているので、次に記載する効果を奏する。
【０００８】
本考案は浮き止めと錘を一体化したため、浮き止めと錘が絡み合う不具合がなくなった。
【０００９】
そして、錘機能付浮き止めは浮き止めの棒の取り外し、取り付けと同じような感覚で着脱ができるようになり、錘交換がし易くなり、使い易くなった。
【００１０】
また、錘機能付浮き止めは着脱ができるため使い捨てせず、再利用できるようになった。
【００１１】
また、錘機能付浮き止めはガン玉等の錘と異なり糸をはさみこまないため、糸の傷つきを防ぐ効果がある。
【図面の簡単な説明】
【図１】本考案の錘機能付浮き止めを魚釣り用仕掛けに使った状態の実施例を図面に示す。
【図２】本錘機能付浮き止めについての詳細な図面である。
【符号の説明】
１　釣り糸
２　上側浮き止め
３　浮き
４　錘機能付浮き止め
５　浮き止めゴム
６　錘機能付浮き止め棒
７　錘機能付浮き止め棒の断面
【図１】
0003097355.tif 000003
【図２】
0003097355.tif 000004
【手続補正書】
【提出日】平成15年5月11日(2003.5.11)
【手続補正１】
【補正対象書類名】明細書
【補正対象項目名】実用新案登録請求の範囲
【補正方法】変更
【補正の内容】
【実用新案登録請求の範囲】
【請求項１】
糸に浮き止めゴム２つを係止し、１Ｂ，２Ｂ，３Ｂ，４Ｂ，５Ｂ，６Ｂ，０．５号，０．８号，１号，１．５号，２号，３号，等の錘機能をもたせるため木、樹脂、鉄、アルミ、ステンレス、鉛等の材質の材料を使い、またそれらの材料を組み合わせることまた形状を変えることにより　１Ｂ，２Ｂ，３Ｂ，４Ｂ，５Ｂ，６Ｂ，０．５号，０．８号，１号，１．５号，２号，３号，等の錘機能をもたせる浮き止め棒を浮き止めゴムに差し込んで使用することを特徴とする錘機能付浮き止め。
(57)【要約】　　　（修正有）【目的】他人に容易に見られない文字や図画等を筆記可能な筆記用具を提供すること。【構成】描いた文字や図柄が通常の環境下においては無色透明であり、紫外線を含むライトを照射しているときのみ発色する特性がある紫外線発色性インク２を用いた筆記具１に、紫外線を含む光線を照射可能な紫外線発光体３と、該発光体の電源となる電池５と、発光体の点灯・消灯を制御するスイッチ６等を有する発光装置３を組み合わせて使用する構成とする。発光装置３は筆記具１と共に携帯可能な程度に小型化し、図１のように接続具７を取り付けるか、もしくは接続具７を用いて筆記具１と連結可能な形状したり、筆記具と発光装置を一体化もしくは直接合体・分離可能な構造とする等、いずれかの手段を有する。尚、接続具７の形状は一例であり、他の物品と連結し、それを再び解放できる機能を有するものであれば良い。【選択図】　　図１
0003097351.tif 000002
【実用新案登録請求の範囲】
【請求項１】
描いた図柄が通常は無色透明であり、紫外線を含むライトを照射しているときに発色する特性があるインクを用いた紫外線発色性筆記具。
【請求項２】
紫外線を照射可能な電球または発光ダイオードと、該発光体の電源となる釦電池等の小型電池を内蔵し、該発光体の点灯と消灯を制御するスイッチを設け、請求項１の紫外線発色性筆記具によって描かれた文字・記号・図柄を照射して用いる事を主目的とし、該筆記具と共に携帯できるように小型化した小型紫外線発光装置。
【請求項３】
請求項１の紫外線発色性筆記具の適当な場所に、請求項２の小型紫外線発光装置を接続、または一体化した紫外線発光装置付き紫外線発色性筆記具。
【考案の詳細な説明】
【０００１】
【考案が解決しようとする課題】
従来の筆記具によって描かれた文字や図柄は、描いた当人が望まない第三者にも内容を見られてしまったり、知られたくない内容を他人に見られてしまうことがあった。
【０００２】
【課題を解決するための手段】
描いた文字や図柄が通常の環境下においては無色透明であり、紫外線を含むライトを照射しているときのみ発色する特性がある紫外線発色性インクを用いた筆記具に、紫外線を含む光線を照射可能な紫外線発光体と、該発光体の電源となる電池と、発光体の点灯・消灯を制御するスイッチ等を有する発光装置を組み合わせて使用するよう構成した。該発光装置は該筆記具と共に携帯できるように小型化し、さらにキーチェーンや掛け紐等の接続具を取り付け可能な形状とするか、あるいは該筆記具と該発光装置を一体化したり、筆記具と発光装置が合体・分離可能な形状とする等、いずれかの手段を有する。該筆記具による筆記内容は該発光装置による紫外線ライトを照射すれば筆記箇所が発色して容易に視認可能となるが、該照射が無いときは無色透明であるために視認が困難である。
【０００３】
【考案の効果】
該紫外線発色性筆記具によって描いた文字・記号・図柄は通常の環境下において無色透明であるため、紫外線を含むライトを照射しないと視認が困難である。該筆記具と紫外線発光装置を組み合わせて使用すれば、筆記者は該発光装置を用いて筆記内容を視認できるが、他人には筆記内容を知られることを防止でき、秘密性の高い文書や図画等の作成に効果的である。
【図面の簡単な説明】
【図１】紫外線発色性筆記具と小型紫外線発光装置の平面図と部分断面図である。
【図２】紫外線発色性筆記具に小型紫外線発光装置を接続した状態の平面図である。
【図３】紫外線発色性筆記具と紫外線発光装置を一体化した断面図である。
【図４】図３の紫外線発色性筆記具と紫外線発光装置を分離した平面図である。
【符号の説明】
１　筆記具（筆記具本体）
２　紫外線発色性インク
３　発光装置（発光装置本体）
４　紫外線発光体
５　電池
６　スイッチ
７　接続具
【図１】
0003097351.tif 000003
【図２】
0003097351.tif 000004
【図３】
0003097351.tif 000005
【図４】
0003097351.tif 000006
【手続補正書】
【提出日】平成15年5月6日(2003.5.6)
【手続補正１】
【補正対象書類名】明細書
【補正対象項目名】実用新案登録請求の範囲
【補正方法】変更
【補正の内容】
【実用新案登録請求の範囲】
【請求項１】
液状のインクを保持可能なインク保持部を持つ筆記具において、描いた図柄が通常は無色透明であり、紫外線を含むライトを照射しているときに発色する特性があるインクを用いた事を特徴とする紫外線発色性筆記具。
【請求項２】
紫外線を照射可能な電球または発光ダイオードと、該発光体の電源となる釦電池等の小型電池を内蔵し、該発光体の点灯と消灯を制御するスイッチを設け、請求項１の紫外線発色性筆記具に連結して携帯可能で、該筆記具によって描かれた文字・記号・図柄を照射して用いる為の小型紫外線発光装置。
【請求項３】
描いた図柄が通常は無色透明であり、紫外線を含むライトを照射しているときに発色する特性があるインクを用いた紫外線発色性筆記具の適当な場所に、請求項２の小型紫外線発光装置を一体化した、紫外線発光装置付き紫外線発色性筆記具。
(57)【要約】　　　（修正有）【課題】安全・安価・簡易なコーナーハウスとして，幼児教育に資する。【解決手段】本考案は，園舎内の遊戯場のコーナーを利用して，布で仕切った空間をハウスとして囲い「家」のイメージをもたせて，そこへ入れることで身を隠したり，姿を見えなくすることへの軽いスリルを味わわせ，結果的には幼児の帰巣本能を満足させることが出来る。【選択図】　　図２
0003097358.tif 000002
【実用新案登録請求の範囲】
【請求項１】
園児の遊戯場となっている大部屋の四隅のコーナーを利用して上部と前面を囲み，前面中央部２０センチ程の幅で自由に出入りする部分をとる。頂点と四隅には止め金を用いたコーナーハウス。
【考案の詳細な説明】
【０００１】
考案の属する技術分野
この考案は素材として布一枚あればよく，両端と頂点を結ぶポールと止め金以外には他材を全く用いないこところが特徴で危険性も全くない。
【０００２】
従来，野営のテント張りや日よけ雨よけ等屋外用はあるが屋内用は例ない
【０００３】
〔考案が解決しようとする課題〕
穴や暗がりを求める幼児心理への対応策の一つ。
【０００４】
〔解決のための手段〕
安全で安価をめざした。また，布一枚で出来る点も特徴の一つ。
【０００５】
（考案の実施の形態）
前面の布の中程に作る出入り口は，ほつれを防ぐため綿テープで抑え，又前面には，窓のほか，花や鳥の姿を縫い付け「家」のイメージを高めることとする。
【０００６】
〔実施例〕
0003097358.tif 000003
【０００７】
３ケ所の止め金は，中に入った子供達には全く触れない。危険性なし。
【０００８】
前面の布を上に巻き上げれば，簡単に内部の掃除も出来る。全体としての取付け，取外しも簡単。
【０００９】
〔考案の効果〕
外気と遮断されたこの独立の空間は，「家」のイメージにつながり，これにより「かくれんぼう」その他，穴に身を隠すことや，姿をくらますことに軽いスリルを味わう事が出来，結局のところ幼児の帰巣本能を満足させることとなり，現にこのコーナーハウスを作ってから園児の動きに微妙な変化がみられ，賑やかさの質が変わってきたように思われる。
父母にも喜ばれ，幼児教育上の効果は非常に大きい。
【図面の簡単な説明】
【図１】コーナーハウスの正面図
【図２】コーナーハウスの断面図
【符号の説明】
１・２・３は止め金。
１〜２，１〜３，２〜３の各間にはポールが包みこまれ，綿テープで固定されている。
点線の部分は，出入り口であることを示すため，布を色違いとした。
【図１】
0003097358.tif 000004
【図２】
0003097358.tif 000005
【手続補正書】
【提出日】平成15年5月7日(2003.5.7)
【手続補正１】
【補正対象書類名】明細書
【補正対象項目名】実用新案登録請求の範囲
【補正方法】変更
【補正の内容】
【実用新案登録請求の範囲】
【請求項１】
園児の遊戯場となっている大部屋の四隅のコーナーを利用して上部と前面を囲み，前面中央部２０センチ程の幅で自由に出入りする部分を設け，頂点と四隅には止め金を用いたコーナーハウス。
(57)【要約】　　　（修正有）【課題】風呂、トイレ等の個室使用者の存在だけの感知で、対象者の異変を判断し警報を鳴らすものを提供する。【解決手段】監視カメラのような映像監視ではなく、赤外線センサーと明暗センサーの２種類のセンサーを併用し、個室使用者の存在を感知後、対象者の細かな動きを監視する。個室使用者の動きが一定時間感知出来なくなると、対象者に異変が生じたと判断し、警報をならすなど異変を知らせる報知動作を適時に行い、個室使用者の異変を第三者にいち早く報知する。【選択図】　図１
0003097391.tif 000002
【実用新案登録請求の範囲】
【請求項１】
本考案は、明暗センサーと人体感知用の赤外線センサーを２方向に向きをずらして、一つの筐体に収納した小型のセンサー部と、センサーの信号で、個室使用者の異変を判断し警報を鳴らすと共に、自動通報装置等への起動信号を発生させる機能を持った本体部で構成され、センサー部は風呂、トイレ等の個室の出入り口付近で対象者の動きを感知し易い場所に、本体部は個室使用者の異変を第三者に報知し易い場所に設置するようにした個室内異変報知器。
【考案の詳細な説明】
【０００１】
【考案の属する技術分野】
本考案は風呂、トイレ等の個室使用者の異変報知に関する。
【０００２】
【従来の技術】
従来、風呂、トイレ等の個室使用者の異変を感知して報知するものはなく、人等が接近すると照明を点灯させたり、ブザー等の音を慣らすなど、単一動作の感知器であった。
【０００３】
【考案が解決しようとする課題】
しかしながら、上記従来の感知器は、風呂、トイレ等の個室使用者の存在を感知することは出来るが、個室使用者が異変を起こしていることは感知出来ず、また、個室内とは言え、見られるという人間の羞恥心にも抵触するため、発見が遅れるという問題があった。
【０００４】
【課題を解決するための手段】
本考案は、監視カメラのような映像監視ではなく、赤外線センサーと明暗センサーの２種のセンサーを併用し、個室使用者の存在を感知後、対象者の細かな動きを監視する。個室使用者の動きを一定時間感知しないと、対象者に異変が生じたと判断し、警報を鳴らし、自動通報装置の起動信号を発生するなど、異変を知らせる報知動作を適時に行い、個室使用者の異変を第三者にいち早く報知出来るようにして、従来の問題を解決させるものである。
【０００５】
【考案の実施の形態】
人体感知用の赤外線センサーと明暗センサーを併用し、この２種のセンサーを２方向に向きをずらして、一つの筐体に収納するセンサー部を構成する。このセンサー部の赤外線センサーが個室使用者の存在を感知した上で、個室使用者の細かな動きを明暗センサーで感知する。これらの２種のセンサーの出力状況で、個室使用者を常時監視する。この監視中に、個室使用者の動きが一定時間、赤外線センサーや明暗センサーで感知しなくなった場合、異変発生と判断する機能を持ち、警報を鳴らすと共に、自動通報装置等への起動信号を発生させるものである。
【０００６】
【実施例】
図１は本考案の実施例である個室内異変報知器の概略外観を示すものである。図１において、１は赤外線センサーと明暗センサーを２方向に向きをずらして収納し一体化したセンサー部、２はセンサー部と本体部を接続するセンサー用ケーブル、３は個室内異変報知本体部、４は警報ブザー、５は電源、６はセンサー部１の赤外線センサー面、７はセンサー部１の明暗センサー面、８は自動通報装置である。
【０００７】
図２は本考案の実施例である個室内異変報知器の構成概略ブロック図を示すものである。図２において１１は異変判定回路、１２は赤外線センサー感知回路、１３は明暗センサー感知回路、１４は警報ブザー鳴動回路、１５は自動通報装置起動信号発生回路、１６は赤外線センサー、１７は明暗センサーである。また、実施例の説明のために対象者として１８は個室入室前の対象者、１９は個室使用中の対象者である
【０００８】
次に上記実施例の動作について説明する。図１において実施例のセンサー部１を個室のドアが光を透過する材質で出来ている場合は、ドアの光を透過する材質部分に明暗センサー面７を密着させるように取り付ける。ドアが光を透過しない材質の場合は、センサー部１を個室内に赤外線センサー面６をドア側にして取り付ける。次に個室内異変報知本体部３は第三者に個室使用者の異変報知がし易く、商用電源のコンセントある近くに電源５と共に設置する。センサー部１と個室内異変報知本体部３はセンサー用ケーブル２で接続させる。
【０００９】
対象者が個室に近づくか、内部に入ると、赤外線センサー１６と赤外線センサー感知回路１２で対象者１８の存在を感知する。その後、対象者１９が個室内部で細かな動きをするのを明暗センサー１７と明暗センサー感知回路１３で感知し、動きの感知が一定時間なくなった場合に、異変判定回路１１で判断する。異変判定回路１１で異変と判定した場合、警報ブザー鳴動回路１４で警報ブザー４を鳴らし、自動通報装置起動信号発生回路１５からの信号で自動通報装置８の起動をかけ、異変を報知する。対象者１８を最初と最後に感知するのを赤外線センサー１６にするために、センサー部１の赤外線センサー１６と明暗センサー１７を２方向に向きをずらして収納し、監視動作の開始と終了の時期を決定出来るようにしている。これは、対象者が個室から離れた場合や、個室の前を通っただけの場合に、誤作動することを防ぐようにしている。
【００１０】
【考案の効果】
本考案は上記実施例より明らかなように、単なる人体感知用のセンサーでブザー等鳴らすものだけであれば、周囲の人間は対象者が個室に入ったことは認識できるが、個室使用者の異変については、常時注意を払うことになる。また、個室使用者が個室に入っていることを忘れることもあり得る。個室内異変報知器を使用することで、周囲の人間の負担を十分に軽減する効果を有する。また、個室使用者が独居であった場合、自動通報装置の起動用信号を発生させる機能があるため、公衆回線を使って特定箇所に通報が出来る、自動通報装置を併用することにより、異変通報を外部の第三者に行える効果も有する。
【図面の簡単な説明】
【図１】本考案の実施例の個室内異変報知器の概略外観図。
【図２】本考案の実施例の個室内異変報知器の構成概略ブロック図。
【符号の説明】
１　　　　　センサー部
２　　　　　センサー用ケーブル
３　　　　　個室内異変報知本体部
４　　　　　警報ブザー
５　　　　　電源
６　　　　　赤外線センサー面
７　　　　　明暗センサー面
８　　　　　自動通報装置
１１　　　　異変判定回路（ＣＰＵ含む）
１２　　　　赤外線センサー感知回路
１３　　　　明暗センサー感知回路
１４　　　　警報ブザー鳴動回路
１５　　　　自動通報装置起動信号発生回路
１６　　　　赤外線センサー
１７　　　　明暗センサー
１８　　　　個室入室前の対象者
１９　　　　個室入室中の対象者
【図１】
0003097391.tif 000003
【図２】
0003097391.tif 000004
(57)【要約】　　　（修正有）【課題】自動車が駐停車中には、高温外気は出来るだけ遮断して車内の温度上昇を抑え、車内を快適な運転環境に保ち、内装機器等の劣化を防止し、断熱効果を大きく改良したフィン付き断熱シートの提供。【解決手段】シートの片面にフィンを縦列に配置して固定する。【効果】フィンを付ける事により、伝導熱の伝熱を少なくし、空気層を構成して断熱機能を増加させ、加熱された空気は対流により上方に放熱される。【選択図】　図３
0003097392.tif 000002
【実用新案登録請求の範囲】
【請求項１】
片面にフィンを付けた断熱シート
【考案の詳細な説明】
【０００１】
【産業上の利用分野】
本考案は自動車窓ガラスの日よけ等のシートに関するものである
【０００２】
【従来の技術】
自動車内に太陽輻射熱を反射させるシートを置いて熱を遮蔽している
【０００３】
【考案が解決しようとする課題】
高温炎天下における駐、停車中の自動車内の温度を出来るだけ上昇しない様にしたい
【０００４】
【課題を解決するための手段】
シートの片面に縦方向にフィンをつけて、その側を自動車の窓に外から被せる
【０００５】
【作用】
シートを通過した太陽の伝導熱は大半がフィン面より放熱され、自動車のガラス等とフィン先端の接触面からの伝導熱のみが車内に伝熱する。フィンを付ける事で大幅に断熱効果を改善する事が出来る
【０００６】
縦方向に配列したフィン間の空気層はシート面よりも熱伝導率も小さく、良好な断熱材と見ることができる
【０００７】
フィンより放熱された伝達熱はフィン間の空気を暖め、上昇気流となって上部より大気中に放出される
【０００８】
【実施例】
以下、本考案の一実施例のついて説明する
図１において、１はアルミ箔等を張ったシートである。この片面に２のフィンを縦列に配置して固定する
【０００９】
フィンの付いた側を自動車のガラス面等に外側から被せ、３の取付け用紐をバックミラー等に固定して使用する
【００１０】
【考案の効果】
夏季の高温外気下の駐、停車時等、本考案のシートを自動車の運転席の前面ガラス等に張り付ければ、そこからの伝熱を少なくし急激な車内の温度上昇を抑える事ができる
【００１１】
【図面の簡単な説明】
【図１】本考案の実施例の平面図である
【図２】Ａ−Ｂの断面図である
【図３】本考案の実施例の視斜図である
【００１２】
【符号の説明】
１　　　シート
２　　　フィン
３　　　取付け紐
【図１】
0003097392.tif 000003
【図２】
0003097392.tif 000004
【図３】
0003097392.tif 000005
(57)【要約】【課題】特に、夏季において、防風林として植えられた松の苗木の根腐れを防止できる防風用竹簀の提供。【解決手段】多数の竹１を上下方向に配される編み縄２を介して連続編みしてなる防風用竹簀であって、竹１の巾Ｌ１と隣接する竹１同士間に画成される空間３の巾Ｌ２とを１対０．７５の関係に設定することにより、冬季においては、松の苗木を季節風から有効に保護することができることは言うまでもないが、特に、夏季においては、上記空間率から、空気の適度の流通を確保できるので、松の苗木が根腐れを引き起こす心配が有効に解決できる。【選択図】　　　　　図１
0003097315.tif 000002
【実用新案登録請求の範囲】
【請求項１】
多数の竹を上下方向に配される編み縄を介して連続編みしてなる防風用竹簀であって、竹の巾と隣接する竹同士間に画成される空間の巾とを１対０．７５の関係に設定したことを特徴とする防風用竹簀。
【考案の詳細な説明】
【０００１】
【考案の属する技術分野】
本考案は、特に、海岸砂丘などに防風林として植えられた松の苗木を保護するために使用される防風用竹簀に関するものである。
【０００２】
【従来の技術】
従来のこの種防風用竹簀は、具体的には図示しないが、所定寸法に切断された多数の割竹を上下方向に配される編み縄を介して簾編みしてなるもので、実際の使用に際しては、風向き等の自然条件を考慮した上で、海岸砂丘に支柱を介して設置されて、季節風から防風林として植えられた松の苗木が活着するまで保護するものである。
【０００３】
【考案が解決しようとする課題】
然し乍ら、従来の防風用竹簀にあっては、割竹を簾編みする関係で、自ずと、隣接する割竹同士間に画成される空間が狭くなるので、冬季には、それ程問題となることはないが、特に、夏季には、空気の流通が悪くなって、松の苗木が根腐れを引き起こす大きな問題を有していた。
【０００４】
【課題を解決するための手段】
本考案は、斯かる従来の防風用竹簀が抱える課題を有効に解決するために開発されたもので、多数の竹を上下方向に配される編み縄を介して連続編みしてなる防風用竹簀であって、竹の巾と隣接する竹同士間に画成される空間の巾とを１対０．７５の関係に設定する構成を採用した。
【０００５】
依って、本考案の防風用竹簀にあっては、空間率を１対０．７５の関係に設定した関係で、冬季においては、松の苗木を季節風から有効に保護することができることは言うまでもないが、特に、夏季においては、上記空間率から、空気の適度の流通を確保できるので、松の苗木が根腐れを引き起こす心配が有効に解決できる。
【０００６】
【考案の実施の形態】
以下、本考案を図示する好適な実施の形態に基づいて詳述すれば、当該実施の形態に係る防風用竹簀も、基本的には、従来と同様に、図１・図２に示す如く、所定寸法に切断された多数の割竹１を上下方向に配される編み縄２を介して連続編みしてなるものであるが、特徴とするところは、下記の構成を採用した点にある。
【０００７】
即ち、本実施の形態にあっては、個々の割竹１の巾Ｌ１を１とした場合に、隣接する割竹１同士間に画成される空間３の巾Ｌ２を０．７５の関係に設定して、この空間率で、竹簀全体を構成するものである。この為、本実施の形態の下では、従来のような簾編みを採用せずに、上記した１対０．７５の空間率を得るために、竹簀を編む段階で、割竹１同士を繋ぐ編み縄２の部分に複数の縛り目２ａを形成していくことにより、この縛り目２ａの存在で０．７５の空間率を決定するものとする。尚、編み縄２としては、自然風化が可能なテトロン縄を使用するものとする。
【０００８】
又、上記した空間率を１対０．７５に設定した理由は、多くの実験結果から得られたもので、空間３の巾Ｌ２を０．７５以上とすると、空間３が比較的大きくなるので、空間３から風が流通し易くなって、冬季には、十分な防風効果が得られなくなり、逆に、空間３の巾Ｌ２を０．７５以下とすると、冬季には防風効果が得られるとしても、今度は、空間３が比較的小さくなるので、空気の流通が悪くなって、夏季においては、松の苗木の根腐れを引き起こす恐れがあるからである。
【０００９】
依って、本実施の形態に係る防風用竹簀を使用する場合にも、風向き等の自然条件を考慮した上で、海岸砂丘に支柱を介して設置して、季節風から防風林として植えられた松の苗木を保護することとなる訳であるが、空間率を１対０．７５と設定した関係で、冬季においては、松の苗木を季節風から有効に保護することができることは言うまでもないが、特に、夏季においては、上記空間率から、空気の適度の流通を確保できるので、松の苗木が根腐れを引き起こす心配が有効に解決できることとなる。
【００１０】
尚、このような防風用竹簀は、松の苗木が活着するまでは必要であるから、それなりの耐用年数が必要となることは言うまでもないが、それ以降は、役目を終わることとなる。この為、編み縄２にテトロン縄を使用しているので、役目を終わった時点で編み縄２が風化するので、竹簀自体の撤去も容易となる。
【００１１】
【考案の効果】
以上の如く、本考案は、上記構成の採用により、空間率を１対０．７５の関係に設定した関係で、冬季においては、松の苗木を季節風から有効に保護することができることは言うまでもないが、特に、夏季においては、上記空間率から、空気の適度の流通を確保できるので、松の苗木が根腐れを引き起こす心配が有効に解決できる。
【図面の簡単な説明】
【図１】本考案の実施の形態に係る防風用竹簀を示す要部正面図である。
【図２】図１のＡ−Ａ線断面図である。
【符号の説明】
１　　割竹（竹）
２　　編み縄
２ａ　編み縄の縛り目
３　　空間
Ｌ１　割竹の巾
Ｌ２　空間の巾
【図１】
0003097315.tif 000003
【図２】
0003097315.tif 000004
(57)【要約】【課題】患者に痛みを感じさせることなく、次第に腟を拡張させることが可能であり、構造が簡単で、容易に操作できる腟拡張器を提供すること。【解決手段】滑らかに湾曲した先端部５を有し、それぞれ直径が異なる複数本の丸棒１，２，３，４より成る。丸棒１，２，３，４の基端面にそれぞれ摘み６を形成しても良い。【選択図】　　図１
0003097325.tif 000002
【実用新案登録請求の範囲】
【請求項１】
滑らかに湾曲した先端部を有し、それぞれ直径が異なる複数本の丸棒より成ることを特徴とした腟拡張器。
【請求項２】
前記丸棒の基端面にそれぞれ摘みを形成した請求項１に記載の腟拡張器。
【考案の詳細な説明】
【０００１】
【考案の属する技術分野】
本考案は、腟拡張器に関する。
【０００２】
【従来の技術】
女性には、腟が狭くて性交時に痛みを覚えるため、治療により拡張させる必要のある人が間々ある。
従来、人体の狭窄した管腔を拡張する機器として、ジグザグ状のワイヤから成る支持骨を有するステントと称する医療器具が知られている（例えば、特許文献１参照）。
しかし、このものは、通常、血管内に留置して血流を確保するために用いられ、腟を拡張させるには不向きである。
【０００３】
また、腟を拡張するための器具として腟鏡があるが、これは開閉自在の金属棒を腟内に挿入して内部で開き、腟内を内診するものであって、細い金属棒を腟内で一気に開くため、人によっては痛みを感ずることがあり、狭い腟を広げた状態に慣らす効果は低い。
【０００４】
【特許文献１】
特開平１１−３４７１３２号公報
【０００５】
【考案が解決しようとする課題】
本考案の目的は、患者に痛みを感じさせることなく、次第に腟を拡張させることが可能であり、構造が簡単で、容易に操作できる腟拡張器を提供することにある。
【０００６】
【課題を解決するための手段】
本考案の腟拡張器は、滑らかに湾曲した先端部を有し、それぞれ直径が異なる複数本の丸棒より成る。
最も直径が細い丸棒から、次第に太いものへ交換しながら順次腟へ挿入することにより、腟を拡張する。
医師が取り扱いやすいように、丸棒の基端面にそれぞれ摘みを形成しても良い。
【０００７】
【考案の実施の形態】
以下、本考案の実施形態を図面に基づいて詳細に説明する。
図１に示すように、腟拡張器（腟ダイレータ）は、それぞれ直径の異なる第１の丸棒１、第２の丸棒２、第３の丸棒３及び第４の丸棒４から成る。
第１の丸棒１、第２の丸棒２、第３の丸棒３及び第４の丸棒４は、ポリプロピレン、ポリエチレン、ポリエステル等の合成樹脂を素材とし、滑らかに湾曲した球面状の先端部５を有すると共に、全体の表面を滑らかに形成してある。
【０００８】
第１の丸棒１、第２の丸棒２、第３の丸棒３及び第４の丸棒４の基端面には、その直径に沿う厚み約７ｍｍの断面矩形状で、且つ、両側面が平行な平面の摘み６が、軸方向へ約３５ｍｍの長さに延びるよう一体に形成されている。
また、各丸棒１、２，３，４は、患者の体型や人種によっても異なるが、摘み６を除いた部分の長さを１０〜１１ｃｍ程度とするのが標準である。
第１の丸棒１、第２の丸棒２、第３の丸棒３及び第４の丸棒４は、基端部から先端部５に向かって僅かに径を細くしてあり、それぞれの基端部の直径は、最も細い第１の丸棒１で約１５ｍｍ、次に細い第２の丸棒２で約２０ｍｍ、第３の丸棒３で約２３ｍｍ、最も太い第４の丸棒４で約２７ｍｍとしてある。
【０００９】
この腟拡張器によって狭窄した腟を拡張させるには、最も細い第１の丸棒１から最も太い第４の丸棒４まで、順次太いものに交換しながら、摘み６を持って、先端部５側から腟へ挿入していけばよい。すると、次第に太くなる丸棒１，２，３，４によって徐々に腟が拡張されるので、患者は痛みを感ずることなく、確実に腟を開くことができる。
なお、丸棒の本数は増減することができ、各丸棒の直径も適宜変更することが可能である。
また、摘みは、持ちやすい形状であれば、リング状等の異なる形状とすることができる。
【００１０】
【考案の効果】
請求項１に係る考案によれば、細い丸棒から順次太い丸棒へ交換しながら、腟へ挿入することにより、確実に腟を拡張することができ、しかも、徐々に腟を開いていくので、患者が痛みを感ずる心配がない。
また、単純な丸棒より成るため、構造が簡単で価格も低廉で済み、非常に容易な操作で腟を拡張できる。
請求項２に係る考案によれば、医師等が手に持ちやすくて、腟への抜挿操作を行い易い。
【図面の簡単な説明】
【図１】本考案の実施形態を示す腟拡張器の斜視図。
【符号の説明】
１　第１の丸棒
２　第２の丸棒
３　第３の丸棒
４　第４の丸棒
５　先端部
６　摘み
【図１】
0003097325.tif 000003
(57)【要約】　　　（修正有）【課題】口紅容器を携帯すると、口紅とブラシとが同時に携帯され、且つキャップに設けたブラシに収容筒のなかの口紅を付けて唇を化粧することができ、携帯と使用とが極めて便利な口紅容器を提供する。【解決手段】本考案の口紅容器は、収容筒１と、キャップ２と、ブラシ３と、から構成され、前記収容筒は、口紅を充填するための一頂端に開口した中空体であり、開口を有する端にはジャケット段１１を有し、前記キャップの開口端での接続段２１が前記ジャケット段に嵌め込んで固定し、また、前記キャップの内部にはブラシが設けてある口紅容器において、前記収容筒の内部には、前記ブラシを収容するための頂端に開口した一ジャケット管１２が設けており、使用の際には、ブラシの底端に設けたブラシヘッド３２に口紅を付けてから唇を化粧できる。【選択図】　　図１
0003097322.tif 000002
【実用新案登録請求の範囲】
【請求項１】
収容筒と、キャップと、ブラシと、から構成され、前記収容筒は、口紅を充填するための一頂端に開口した中空体であり、開口を有する端にはジャケット段を有し、前記キャップの開口端での接続段が前記ジャケット段に嵌め込んで固定され、また、前記キャップの内部にはブラシが設けてある口紅容器において、
前記収容筒の内部には、前記ブラシを収容するための頂端に開口した一ジャケット管が設けてあり、使用の際には、ブラシの底端に設けたブラシヘッドに口紅を付けてから唇を化粧できることを特徴とする、口紅容器。
【考案の詳細な説明】
【０００１】
【考案の属する技術分野】
本考案は口紅容器に係り、特にブラシがキャップに設けられて携帯が便利であり、且つ前記ブラシに口紅を付けて唇を化粧することができる口紅容器に関する。
【０００２】
【従来の技術】
近代の人にとって、化粧はその人の外観を美化し、且つ社交活動では化粧は礼儀だとも言われる。
化粧品のなかで、口紅は広汎に使われるものである。口紅は、一般にロッド状を呈し一回転座に固定される。使用しようとする場合には、回転座を回転して口紅を上昇させ、そうすることで、口紅で唇を化粧することができる。
【０００３】
【考案が解決しようとする課題】
この様な従来の口紅には、次のような欠点があった。
（イ）唇は曲線及び皺を有するため、口紅ロッドで唇に口紅を直接塗ると、均一に塗布することが出来ず、使用者は、もう一ブラシを携帯し、前記ブラシを口紅ロッドに付けてから、唇を化粧していた。
【０００４】
（ロ）実際の使用では、口紅ロッドの他に、また一ブラシを携帯し、同時に使用する必要があるので、携帯に不便であり、仮にブラシを忘れて携帯しなかった場合、又は、臨時にブラシが見つからない場合には、唇を化粧することができなかった。
【０００５】
【課題を解決するための手段】
上記欠点を解決するためになされた本願の請求項１は、収容筒と、キャップと、ブラシと、から構成され、前記収容筒は、口紅を充填するための一頂端に開口した中空体であり、開口を有する端にはジャケット段を有し、前記キャップの開口端での接続段が前記ジャケット段に嵌め込んで固定し、また、前記キャップの内部にはブラシが設けてある口紅容器において、前記収容筒の内部には、前記ブラシを収容するための頂端に開口した一ジャケット管が設けてあり、使用の際には、ブラシの底端に設けたブラシヘッドに口紅を付けてから唇を化粧できることを特徴とする口紅容器であることを要旨としている。
【０００６】
【考案の実施の形態】
図１と図２を参照する。本考案に係る口紅容器は、収容筒１と、キャップ２と、ブラシ３と、から構成される。
【０００７】
前記収容筒１は、口紅を充填するための一頂端に開口した中空体であり、開口を有する端にはジャケット段１１を有し、前記キャップ２の開口端での接続段２１が前記ジャケット段１１に嵌め込んで固定し、前記収容筒１の内部には、前記ブラシ３を収容するための頂端に開口した一ジャケット管１２が設けてある。前記キャップ２の頂端の裏壁には、ブラシ３のブラシロッド３１を嵌め込んで固定するための一スリーブ２２が設けてあり、前記ブラシ３のブラシロッド３１の底端には、口紅を付けて唇を化粧するための一ブラシヘッド３２が設けてある。
【０００８】
図２と図３を参照する。使用の際には、キャップ２に固定されたブラシ３をジャケット管１２から離脱するように、キャップ２を外す。また、ブラシヘッド３２に収容筒１のなかの口紅を付けてから、唇を化粧する。
【０００９】
図４を参照する。収容筒１のジャケット段１１と、キャップ２の接続段２１とは、別々にネジ段を設け、これにより、キャップ２は収容筒１に締め付けて確実に固定することができる。
【００１０】
また、ブラシ３のブラシヘッド３２は、使用者のニーズに応じて、図１に示すようなロッド状でもよいし、図５に示すような長いブラシ状でもよい。
【００１１】
【考案の効果】
本考案には、以下のような効果がある。
（イ）キャップ２に設けたブラシ３により、収容筒１のなかの口紅を付けて唇を化粧することができるため、極めて便利である。
【００１２】
（ロ）口紅が充填された収容筒１は、ブラシ３を設けたキャップ２に結合できるので、この口紅容器を携帯すると、口紅とブラシ３とが同時に携帯されるため、極めて便利である。
【図面の簡単な説明】
【図１】本考案の口紅容器の構成を示す斜視図である。
【図２】本考案の口紅容器の構成を示す断面図である。
【図３】本考案の口紅容器の実施例１の使用状態を示す概略図である。
【図４】本考案の口紅容器の実施例２の構成を示す概略図である。
【図５】本考案の口紅容器の実施例３の構成を示す概略図である。
【符号の説明】
１　　　　　収容筒
１１　　　　ジャケット段
１２　　　　ジャケット管
２　　　　　キャップ
２１　　　　接続段
２２　　　　スリーブ
３　　　　　ブラシ
３１　　　　ブラシロッド
３２　　　　ブラシヘッド
【図１】
0003097322.tif 000003
【図２】
0003097322.tif 000004
【図３】
0003097322.tif 000005
【図４】
0003097322.tif 000006
【図５】
0003097322.tif 000007
(57)【要約】【課題】本考案は伸縮警棒に用いられている十字形状鍔体を使用者の人差し指、親指等の受傷を皆無とすることを課題とするものである。【解決手段】本考案は、十字形状鍔体を使用時においては円盤形状の鍔体とし、収納時には、２分割された半分け状態とし、使い勝手の良い警棒を得ることを手段とするものである。【選択図】　　図１
0003097388.tif 000002
【実用新案登録請求の範囲】
【請求項１】
一動作で伸縮を可能とした警棒の持手の長手方向の上部位に円盤形状の鍔体を挿設固着した伸縮式警棒の鍔体であって、
円盤形状の鍔体を上部半円形状鍔と下部半円形状鍔とに分割し、該下部半円形状鍔が半回動し開鎖自在とした警棒用円盤状鍔体。
【考案の詳細な説明】
【０００１】
【考案の属する技術分野】
本考案は要人の警護、保安任務等に携わる警備要員が携帯して自己の身体を護るために用いる警棒の鍔体に関する。
【０００２】
【従来の技術】
従来から、この種の警棒は、数多く開発され使用されているが、本件出願人等が平成４年１２月８日付で出願した警棒は平成１３年６月２２日特許第３２０２４５９号として登録され、現在約２３万人の警察官等が使用中である。
【０００３】
又、本件鍔体に係る事例として平成４年１１月２５日意匠登録出願（４−３４４６６）した「警棒用双状鍔体」は意匠第９４１４９６号として登録されており現在警視庁警察官等が使用中であることは周知である。
【０００４】
上記意匠に係る物品「警棒用双状鍔体」は正面図に明らかなように下部位の鍔体が収納され平面図において十字状に下部位の鍔体が開展されている状態を示している。
【０００５】
上述のように下部位の鍔が半回動して十字状の鍔体が構成されている。
【０００６】
【考案が解決しようとする課題】
上述のように従来の鍔体においては、鍔体が十字状に開展する結果、上部位鍔と下部位の鍔との間隙部が発生することは当然であった。
【０００７】
近時、当該警棒の使用者が上記間隙部より突出した凶器によって受傷する危険性が指摘されている現況にある。
【０００８】
【課題を解決するための手段】
本考案は上記の課題を解決するため、当該鍔体を円盤形状に形成し、受傷を防止する方法を勘案した。
【０００９】
然しながら、円盤形状の鍔の場合、通常の半分け携帯時、腰のベルトに嵌挿すると、該鍔の半分け部分が、邪魔になる欠点を有した。そこで、鍔の半分け部分を半回動させて一方の半分け部位の下部位に合体させることを解決手段とするものである。
【００１０】
【考案の実施の形態】
上述のように、伸縮警棒の円盤形状の鍔体を二分割することによって、使用者の受傷を防止し、使い勝手の良い伸縮警棒を得ることができる。
【００１１】
【実施例】
以下、添付図面に基づいて一実施例を説明する。
図１に示すように、伸縮警棒（１）の持ち手部（２）の長手方向の最上端部位に嵌挿し止着部（３）へ２分割した上部鍔（４）とを固着し、下部鍔（５）を半回動自在に枢着する。
警棒（１）を使用時には、持ち手に嵌着した下部鍔（５）を半回動させて上部鍔（４）と合着させて円盤形状の鍔体を構成するものである。
警棒（１）の収納時には上記の逆方法を実施する。
即ち、下部鍔（５）を半回動させて上部鍔（４）の下方に収納するものである。
【考案の効果】
上述のように本考案は、当該伸縮警棒に用いられている十字形状鍔体を本件円盤形状の鍔体を使用することによって使用者の握り手の人指し指、親指等の受傷を皆無とできる効果を有するものである。
【図面の簡単な説明】
【図１】本考案の警棒用円盤状鍔体の一実施例を示す要部斜視説明図である。
【図２】本考案の鍔体の一部を斜線で表した説明図である。
【符号の説明】
１…伸縮警棒
２…持ち手部
３…止着部
４…上部鍔
５…下部鍔。
【図１】
0003097388.tif 000003
【図２】
0003097388.tif 000004
(57)【要約】【課題】生臭さを払拭し、美味で日持ちの良いかきフライ製品の提供。【解決手段】生かきや冷凍の粒かきの１個又は２〜３個を、大葉の１枚又は２〜３枚に巻き込み、その外周面に小麦粉を少量ふりかけたものを冷凍庫内で凍結させてなる冷凍粒かき製品。【選択図】　　　図３
0003097381.tif 000002
【実用新案登録請求の範囲】
【請求項１】
生かきの１個又は２〜３個を、大葉の１枚又は２〜３枚に巻き込み、その外周面に小麦粉を少量ふりかけたものを冷凍庫内で凍結させてなる冷凍粒かき製品。
【請求項２】
冷凍かき表面を軽く溶かしてなる１個又は２〜３個を、大葉の１枚又は２〜３枚に巻き込み、その外周面に小麦粉を少量ふりかけたものを冷凍庫内で凍結させてなる冷凍粒かき製品。
【請求項３】
請求項１又は２記載の冷凍粒かきを、１０個〜１００個の単位でフィルム包装した冷凍粒かき製品。
【考案の詳細な説明】
【０００１】
【考案の属する技術分野】
本考案は冷凍粒かき製品に関する。
【０００２】
【従来の技術】
生かきや冷凍の粒かき（ＩＱＰ）は解凍し、ころもをつけてフライ製品にしたりすることは一般的に行われている。
【０００３】
【特許文献】
実用新案登録第３０９０６５６号
【０００４】
【考案が解決しようとする課題】
かきは海のミルクと言われるほど栄養価の高いものであるが、独特な生臭さのために食べるのを嫌悪する人があり、この対策の一つにフライにすることが行われるが、未だその臭いに関して払拭しきれたとは言い難い。本考案は本考案者もかき嫌いのため考案者自身の問題として種々研究を重ねた結果、大葉（青じその葉）を使用してフライにする本考案に到達し、上記問題点を解決した製品を市販に供せんとするものである。
【０００５】
【課題を解決するための手段】
本考案は、生かきの１個又は２〜３個を、大葉の１枚又は２〜３枚に巻き込み、その外周面に小麦粉を少量ふりかけたものを冷凍庫内で凍結させるものとする。一方、冷凍かきの場合は初めにその表面を軽く溶かしたものとなし、この１個又は２〜３個を大葉の１枚又は２〜３枚に巻き込み、その外周面に小麦粉を少量ふりかけたものを冷凍庫内で凍結させるものとする。
而して、上記冷凍粒かきを１０個〜１００個単位でフィルム包装などして市場に提供するのであり、業者や一般消費者は上記冷凍粒かきを小麦粉と調味料で味付けしたころもにまぶしてフライ食品にするのである。
【０００６】
【考案の実施の形態】
図１は請求項１に係わる冷凍粒かきの断面図であって、１は生かき、２は該生かきを包み込んでなる大葉（青じそ）である。３は上記大葉２に包み込んだあと、該大葉２の外周面に軽くふりかけて付着させた小麦粉である。
上記実施例では比較的大きな生かき１の１個を１枚の大葉２で包み込んだものを示したが、図２及び図３は比較的小さな生かきの２個又は３個を１枚或いは２枚の大葉で包み込み、あと外周面に小麦粉３を付着させたものを示す。
【０００７】
上記実施例では生かき１を使用したものであるが、冷凍かき１を使用するものであっても良い。すなわち、冷凍かきの場合にはその表面に少しスチームを噴射させるなどして表面の凍結が軽く溶けた状態になしたものとし、これを前述の通り大葉２に包み込み、あと同様にその外周面に小麦粉３をふりかけて薄く付着させたものとする。
【０００８】
上記に於いて生かきはそのままで、これに対し冷凍かきでは表面に噴射したスチームにより、表面の凍結が軽く溶かさて発生するぬめりにより、大葉２内へ円滑に巻き込まれると同時に、大葉自体にもかき粒のぬめりが浸透して軟弱な密着状態に保持されるものとなるのであり、このことは２〜３枚を重ね合わせるようにしたものも同様である。
【０００９】
本考案では上記の如くして大葉２に巻き込まれ且つ外周面に小麦粉３の付着された塊状物を底面が金網製品とした平箱内に対し、適当個数を並設させるのであり、これを凡そ−３０℃以下に温度調整されたトンネルフリーザーの回動する搬送帯上へ送り込み、凡そ２０分〜４０分後に取り出して、これを凡そ−２５℃以下となされる冷凍庫へ入れて保管するものとなすのである。
上記は初めにトンネルフリーザーで冷凍処理するものについて説明したが、これを省略して直接に冷凍庫へ運んで保管するようになしても良い。このさい冷凍庫の温度は凡そ−２５℃以下となされる。
【００１０】
次に、本考案は上記冷凍庫内の冷凍粒かきの適当数を、即ち一般的にその１０個〜１００個単位でフィルム包装し、市販に供さしめるのである。該フィルム包装にさいしては、一般包装の外に真空包装或いは窒素ガスなどを封入したりするのであり、図４はその包装製品４の斜視図である。
【００１１】
而して、上記の包装品は飲食業者や一般消費業者の手で適宜解凍されると共に、好みの調味料その他で味付けされたころもにまぶしてフライ食品になされるのである。
【００１２】
【考案の効果】
本考案は以上の通り構成するものであって、大葉を使用することはかきが持つ生臭さを大葉の味で解消させることができるのであり、即ち蘇葉の香りのペクラルチンがかきの外周へ存在することにより、上記問題点の解消に寄与すると考えられるのであり、また上記の外にその緑葉の色がころもの下から見え隠れすることから外見上からも綺麗であって商品価値の向上に寄与するものとなる。なお、大葉は殺菌作用もあって衛生上も優れるのである。
本考案の冷凍包装品は日持ちが良く家庭用は勿論、家庭用以外の営業用としても優れる。なお、解包してそのまま電子レンジ或いはオーブンレンジで一時加熱することで、直ちに食用に供することも差し支えないのであり、カラリとした食感の発揮されるものである。
【図面の簡単な説明】
【図１】本考案品に係る実施例の断面図である。
【図２】本考案品に係る他の実施例の断面図である。
【図３】本考案品に係る他の実施例の断面図である。
【図４】フィルム包装した冷凍包装品である。
【符号の説明】
１　　　粒かき
２　　　大葉
３　　　小麦粉
４　　　包装製品
【図１】
0003097381.tif 000003
【図２】
0003097381.tif 000004
【図３】
0003097381.tif 000005
【図４】
0003097381.tif 000006
(57)【要約】【課題】従来、頭皮の血行を良くするためには指でのマッサージや手動で頭をブラシでたたいたり、かぶるタイプの大掛かりな電動式のものであったすでに肩や腰などのマッサージ機はあるが本考案はこれを手持ちがたのコンパクトな頭皮用マッサージ機に工夫したものである【解決手段】施療部を浅い湾曲楕円にしたやさしいバイブレーターで円状に当てるようにしました頭髪上の移動が容易に出来るので、頭皮をまんべんなくマッサージすることが可能であるこれにより血行が促進され抜け毛を防ぎ、育毛や髪につやを与える効果があります【選択図】　　図１
0003097389.tif 000002
【実用新案登録請求の範囲】
【請求項１】
肩や腰などに使うマッサージ機を頭皮用に改良し施療部を浅く湾曲させた頭皮用マッサージ機である
【請求項２】
請求項１の施療部に突起物をほどこした頭皮用マッサージ機である
【請求項３】
請求項１に長めの柄をつけた頭皮用マッサージ機である
【考案の詳細な説明】
【０００１】
【考案の属する技術分野】接触面を浅い湾曲にしてある
【０００２】
【従来の技術】指でのマッサージや、手動でブラシ型の物、及び頭にかぶる大掛かりなタイプの電動式のものであった
【０００３】
【考案が解決しようとする課題】手軽でコンパクトな電動式にした
【０００４】
【課題を解決するための手段】施療部を円状に当てることにより頭皮の血行を促進させる
【０００５】
【考案の実施の形態】ブラシ型と違い、頭髪上の移動が前後左右に、容易に出来るため頭皮をまんべんなく、マッサージすることができる
【０００６】
【実施例】頭に布をあてがい頭皮マッサージ機をあて、朝晩１０〜１５分位かけてゆっくり移動させながらマッサージを行う
【０００７】
【考案の効果】血行が良くなっていることが実感でき、抜け毛を著しく減少させる効果があり、また育毛及び髪につやがでてくる
【図面の簡単な説明】
【図１】本考案の頭皮マッサージ機の正面図である
【図２】本頭皮マッサージ機の平面図である
【図３】本頭皮マッサージ機の一部中央断面図である
【図４】図２の施療部に多数の突起物をほどこした平面図である
【図５】図４の一部中央断面図である
【図６】図１に長い柄をつけた正面図である
【符号の説明】
１　施療部ａ及びｂ
２　振動緩衝部
３　グリップ
４　柄
【図１】
0003097389.tif 000003
【図２】
0003097389.tif 000004
【図３】
0003097389.tif 000005
【図４】
0003097389.tif 000006
【図５】
0003097389.tif 000007
【図６】
0003097389.tif 000008